(57)【要約】【課題】  ウォッシャタンクの大容量化、メンテナンス性の向上、及び重量バランスの確保を実現できる自動車用ウォッシャタンクの提供。【解決手段】  自動車のフロントガラスまたはヘッドランプを洗浄するための洗浄液を貯留するウォッシャタンク３の取付構造であって、熱交換器２を搭載するラジエータコアサポート１が、少なくとも車幅方向に延在するラジエータコアサポートアッパ１ａを備え、前記ウォッシャタンク３を前記ラジエータコアサポートアッパ１ａの上に配置した。【選択図】      図２
2005161980.tif 000002
【特許請求の範囲】
【請求項１】
自動車のフロントガラスまたはヘッドランプを洗浄するための洗浄液を貯留する自動車用ウォッシャタンクであって、
熱交換器を搭載するラジエータコアサポートが、少なくとも車幅方向に延在するラジエータコアサポートアッパを備え、
前記ウォッシャタンクを前記ラジエータコアサポートアッパの上に配置したことを特徴とする自動車用ウォッシャタンク。
【請求項２】
請求項１記載の自動車用ウォッシャタンクにおいて、
前記ウォッシャタンクを、フロントエンドモジュールの一部品としてラジエータコアサポートアッパに固定した後、ラジエータコアサポートと共に車体に搭載することを特徴とする自動車用ウォッシャタンク。
【発明の詳細な説明】
【技術分野】
【０００１】
本発明は、自動車のフロントガラスやヘッドランプを洗浄するための洗浄液を貯留する自動車用ウォッシャタンクに関する。
【背景技術】
【０００２】
従来、自動車用ウォッシャタンクは、自動車のフロントガラスやヘッドランプを洗浄するための洗浄液を貯留するものであって、洗浄液の補給をするための注入口と、洗浄液を排出口から吸い取って噴射するウォーターポンプを供えてエンジンルーム内に配置されている。
また、近年のウォッシャタンクはフロントエンドモジュールの一部品としてラジエータコアサポート、具体的にはラジエータコアサポートサイドの左右ヘッドランプ取付部付近に搭載されている（例えば、特許文献１参照。）。
【特許文献１】特開２００２−１６０６０８号公報
【発明の開示】
【発明が解決しようとする課題】
【０００３】
しかしながら、特許文献１〜３の発明にあっては、大容量のウォッシャタンク（例えば４Ｌ）をラジエータコアサポートのヘッドランプ取付部付近に搭載しようとすると、軽自動車のような小さなフロントエンドモジュールでは大きな部品を取り付けるスペースが無く、車体への搭載時においてその組付け方向によっては車体との干渉が発生し、ウォッシャタンクを２分割にする必要があった。
【０００４】
本発明は上記問題点を解決するためになされたものであって、その目的とするところは、ラジエータコアサポートアッパの上にウォッシャタンクを配置することにより、ウォッシャタンクの大容量化を実現できる自動車用ウォッシャタンクを提供することにある。
【課題を解決するための手段】
【０００５】
上記課題を解決するため、請求項１記載の発明では、自動車のフロントガラスまたはヘッドランプを洗浄するための洗浄液を貯留する自動車用ウォッシャタンクであって、熱交換器を搭載するラジエータコアサポートが、少なくとも車幅方向に延在するラジエータコアサポートアッパを備え、前記ウォッシャタンクを前記ラジエータコアサポートアッパの上に配置したことを特徴とする。
【０００６】
請求項２記載の発明では、請求項１記載の自動車用ウォッシャタンクにおいて、前記ウォッシャタンクを、フロントエンドモジュールの一部品としてラジエータコアサポートアッパに固定した後、ラジエータコアサポートと共に車体に搭載することを特徴とする。
【発明の効果】
【０００７】
請求項１記載の発明にあっては、ウォッシャタンクをラジエータコアサポートアッパの上に配置したため、ラジエータコアサポートアッパの上部のスペースを有効利用してウォッシャタンクの大容量化を実現できる。
【０００８】
請求項２記載の発明にあっては、ウォッシャタンクをフロントエンドモジュールとの一部品としてラジエータコアサポートアッパに固定したため、予めフロントエンドモジュールの一部品としてウォッシャタンクをラジエータコアサポートに組付けた後、ラジエータコアサポートと共に車体組立工場に搬送して車体へ搭載することが可能となる。
【発明を実施するための最良の形態】
【０００９】
以下、この発明の実施例を図面に基づいて説明する。
図１は本発明の実施例の自動車用ウォッシャタンクが適用されたラジエータコアサポートを示す分解斜視図、図２は本実施例の自動車用ウォッシャタンクが適用されたラジエータコアサポートを示す正面斜視図、図３は同背面斜視図である。
【００１０】
図１、２に示すように、本実施例の自動車用ウォッシャタンクが適用されたラジエータコアサポート１は、熱交換器２と、ウォッシャタンク３と、モータファン４を主要な構成としている。
前記ラジエータコアサポート１は熱交換器２を搭載するためのキャリアであって、全体が樹脂で一体的に形成され、車幅方向に延在し、中央に水平な上面２０を有するラジエータコアサポートアッパ１ａと、該ラジエータコアサポートアッパ１ａと上下に並行するラジエータコアサポートロア１ｂと、両者を上下方向に結合するラジエータコアサポートサイド１ｃ,１ｃから構成されている。
また、前記ラジエータコアサポート１の中央には前記モータファン４を搭載するためのモータファンシュラウド５が設けられている。
【００１１】
前記熱交換器２はコンデンサ７とラジエータ８で構成され、これら両者は前後方向に並べられた状態でラジエータコアサポート１の前方側に搭載される。
具体的には、コンデンサ７とラジエータ８の左右上下端部がブラケットＫ等の締結部材を介して連結され、両者がラジエータコアサポート１に対して４箇所でボルト１１などの締結部材で固定される。
【００１２】
そして、ラジエータコアサポートアッパ１ａの上面２０には後述するウォッシャタンク３が配置される。
前記ウォッシャタンク３は半透明の樹脂を用いて略三角柱形状に形成され、その内部に４Ｌの洗浄液を貯留可能な空間が形成され、水平な底面３ａが前記ラジエータコアサポートアッパ１ａの上面２０に重ねられた状態でボルト１０等の締結部材により固定されている。
なお、前記ウォッシャタンクの３とラジエータコアサポートアッパ１ａの車幅方向中央は一致するように配置されている。
また、図３に示すように、前記ウォッシャタンク３の上部には洗浄液を補給するための注入口３ｂがキャップ３ｃで塞がれた状態で設けられ、該注入口３ｂに近接してウォッシャタンク３の内部の洗浄液を吸い込んで噴射するウォーターポンプ３ｄが設けられている。
また、前記ウォッシャタンク３には洗浄液の規定量を示す目盛り３ｅ（図２参照）が刻まれており、内部の洗浄液の残量を一目で確認できるようになっている。
前記ラジエータコアサポートアッパ１ａは後方に開口したコ字状断面形状を成して形成され、その内部には複数のリブＲが設けられて剛性が強化されている。
従って、軽自動車等の小さなフロントモジュールであってもウォッシャタンク３を車幅方向に適宜延在させることで大容量化を実現できる上、ウォッシャタンク１ａを安定した状態で固定できるようになっている。
【００１３】
このように構成された自動車用ウォッシャタンクにあっては、ラジエータコアサポート１に前述の熱交換器２、ウォッシャタンク３、モータファン４、及び図示を省略する左右ヘッドランプ等がフロントエンドモジュールとして組み付けられた後、車体組立工場へ搬送されて車体に搭載される。
【００１４】
従って、フロントエンドモジュールの製造時においては、ウォッシャタンク３はラジエータコアサポートアッパ１ａの上面２０に配置されるため、フロントエンドモジュールのその他の部材、具体的には熱交換器２、モータファン４、ヘッドランプ等の組付け作業と動線が交錯することがなく、効率的なフロントモジュールの生産を確保できる。
【００１５】
また、フロントエンドモジュールの搬送時においては、ウォッシャタンクが車馬幅方向中央部に位置するため、洗浄液をウォッシャタンクに入れた状態で搬送する場合でも左右の重量バランスに優れる。
【００１６】
また、フロントエンドモジュールの車体への搭載時においては、その組付け方向によって車体と干渉する虞がないし、ウォッシャタンクの修理・交換時、洗浄液の補給時等のメンテナンス性に優れる。
【００１７】
また、自動車のエンジンの運転時においては、ウォッシャタンク３は熱交換器２に近接して設けられるため、ウォッシャポンプ３の洗浄液が熱により暖められ易く、洗浄液の洗浄性能が向上する上、冬季において洗浄液が凍結しても解けやすいという効果を奏する。
さらに、ウォッシャタンク３の上部には図外のエンジンフードが配置されるため、該ウォッシャタンク３によってエンジン側の熱気が熱交換器２の前方側へ吹き返すのを防止できる。
【００１８】
また、自動車の衝突時においては、ウォッシャタンク３が樹脂製となっていて比較的剛性が弱いため、自動車の衝突時に衝撃吸収部材として機能し、自動車及び障害物双方の損傷が増大するのを抑えることができる。
【００１９】
以上、本実施例を説明してきたが、本発明は上述の実施例に限られるものではなく、本発明の要旨を逸脱しない範囲の設計変更等があっても、本発明に含まれる。
例えば、ウォッシャタンク３の形状については適宜設定でき、例えば後方に延在させて容量を確保しても良い。
【図面の簡単な説明】
【００２０】
【図１】本発明の実施例の自動車用ウォッシャタンクが適用されたラジエータコアサポートを示す分解斜視図である。
【図２】本実施例の自動車用ウォッシャタンクが適用されたラジエータコアサポートを示す正面斜視図である。
【図３】本実施例の自動車用ウォッシャタンクが適用されたラジエータコアサポートを示す背面斜視図である。
【符号の説明】
【００２１】
１  ラジエータコアサポート
１ａ  ラジエータコサポートアッパ
１ｂ  ラジエータコアサポートロア
１ｃ  ラジエータコサポートサイド
２  熱交換器
３  ウォッシャタンク
３ａ  底面
３ｂ  注入口
３ｃ  キャップ
３ｄ  ウォーターポンプ
３ｅ  目盛り
４  モータファン
５  モータファンシュラウド
７  コンデンサ
８  ラジエータ
１０、１１  ボルト
２０  上面
【図１】
2005161980.tif 000003
【図２】
2005161980.tif 000004
【図３】
2005161980.tif 000005